(57)【要約】【課題】１台のリモコン装置で、３台の異なるチューナーを選択的に制御できるリモコン装置であって、操作者がリモコン操作中、現在選択しているチューナーがどれであるかを目視確認できるリモコン装置を提供する。【解決手段】  少なくとも３台のチューナーを制御する為のリモコン装置であって、表面には３台のチューナーの内の任意の１台のチューナーを選択する為の選択手段と、選択手段により選択されるチューナーに対応する制御信号を生成する為の制御手段とを備え、前面には、生成した制御信号を外部に向けて出力する為の発信部とを備えるリモコン装置において、制御手段は数字ボタンを含み、かつ表面の主要操作領域に配置する一方、選択手段は表面の隅部に配置し、しかもスライドスイッチで構成し、固定側の各切換位置には対応するチューナーの識別子を配し、可動側の摘み部を目印とし、選択したチューナーを目視可能に表示するようにした。【選択図】    図１
2007135111.tif 000002
【特許請求の範囲】
【請求項１】
少なくとも３台のチューナーを制御する為のリモコン装置であって、上記リモコン装置の表面には、上記３台のチューナーの内の任意の１台のチューナーを選択する為の選択手段と、
上記選択手段により選択されるチューナーに対応する制御信号を生成する為の制御手段とを備え、
さらに上記リモコン装置の前面には、上記生成した制御信号を外部に向けて出力する為の発信部とを備えるリモコン装置において、
上記制御手段はリモコン装置の表面に配置する一方、
上記選択手段は、上記制御手段から離れた表面の隅部に配置し、しかも、上記選択手段の構成は、スライドスイッチで構成し、固定側の３カ所の各切換位置には対応するチューナーの識別子を配し、可動側の摘み部を目印とし、選択したチューナーを目視可能に表示するようにしたことを特徴とするリモコン装置。
【請求項２】
少なくとも３台のチューナーを制御する為のリモコン装置であって、上記リモコン装置の表面には、上記３台のチューナーの内の任意の１台のチューナーを選択操作する為の選択手段と、
上記選択手段により選択されるチューナーに対応する制御信号を生成する為の制御手段とを備え、
さらに上記リモコン装置の前面には、上記生成した制御信号を外部に向けて出力する為の発信部とを備えるリモコン装置において、
上記制御手段により生成される制御信号は、上記選択手段により選択される３台のチューナーに対して予め個別に備えさせるＩＤに対応する３種類の制御信号であって、選択手段の選択操作によってその内の一種の制御信号のみを上記発信部より出力可能に構成してあり、
上記制御手段はリモコン装置の表面に配置する一方、
上記選択手段は、上記制御手段から離れた表面の隅部に配置し、しかも、上記選択手段の構成は、スライドスイッチで構成し、固定側の３カ所の各切換位置には対応する上記チューナーの識別子を配し、可動側の摘み部を目印とし、選択したチューナーを目視可能に表示するようにしたことを特徴とするリモコン装置。
【発明の詳細な説明】
【技術分野】
【０００１】
本発明は、チューナーを遠隔操作する為のリモコン装置に関する。
【背景技術】
【０００２】
従来のリモコン装置、例えば特許文献１に示されるリモコン装置は次のように構成していた。表面には、夫々２台のチューナーについて選択操作できるようにした一つの選択手段（操作ボタンともいう）を３つ配置している。しかも、上記各選択手段の周囲には夫々、選択手段によって選択されたチューナーを制御する制御信号を生成する為の制御手段（操作ボタンともいう）が複数個配置されている。そして夫々について生成した制御信号を送信部（発信部ともいう）から外部に向けて出力するようにしていた。
このリモコン装置の操作は次のようにしていた。
まず上記３個の選択手段の中から、操作したいチューナーが割当られている選択手段を選択する。次に、その選択手段の周囲に配置された制御手段、例えば選局＋のボタンを押す。すると、テレビの順送り選局の操作ができた。
さらに、他のチューナーを操作する場合は、そのチューナーが割当られている別の選択手段を選択し、その周囲に配置された制御手段を操作することにより、他のチューナーを動作させていた。
よって、１台のリモコン装置で複数のチューナーを選択的に制御することができた。（例えば、特許文献１参照）
【０００３】
【特許文献１】特開平８−８８８８３号公報
【発明の開示】
【発明が解決しようとする課題】
【０００４】
しかし、この従来のリモコン装置では、上記夫々の選択手段の周囲に配置する制御手段（操作ボタン）は、各選択手段に割当られたチューナーを夫々個別に操作するのに必要な数のボタンを配置させる必要がある。それらを配置する為には大きなスペースをとってしまう。さらに、選択手段を複数個備える場合には、そのスペースはさらに大きくなる。一方、リモコン装置は、片手の掌に載せて操作する関係上、表面スペースは限られている。
よって、至便な機能を備えるテンキー（数字キーともいう）を配置しようとしても、テンキーは大きなスペースをとるので配置できない問題点があった。
【０００５】
本件出願の目的は、１台のリモコン装置で、３台の異なるチューナーを選択的に制御できるリモコン装置を提供しようとするものである。
他の目的は、操作者が何れのチューナーを選択した場合でも、チャンネル選局操作をする際、チャンネルの選局操作を迅速にできるリモコン装置を提供しようとするものである。
他の目的は、操作者がリモコン操作中、現在選択しているチューナーがどれであるかを目視確認できるリモコン装置を提供しようとするものである。
他の目的及び利点は図面及びそれに関連した以下の説明により容易に明らかになるであろう。
【課題を解決するための手段】
【０００６】
本願発明におけるリモコン装置１は、少なくとも３台のチューナーを制御する為のリモコン装置であって、上記リモコン装置の表面３には、上記３台のチューナーの内の任意の１台のチューナー30を選択する為の選択手段20と、上記選択手段20により選択されるチューナーに対応する制御信号を生成する為の制御手段10とを備え、さらに上記リモコン装置の前面には、上記生成した制御信号を外部に向けて出力する為の発信部25とを備えるリモコン装置において、上記制御手段10はリモコン装置の表面に配置する一方、上記選択手段20は、上記制御手段から離れた表面の隅部に配置し、しかも、上記選択手段の構成は、スライドスイッチで構成し、固定側の３カ所の各切換位置には対応するチューナーの識別子21を配し、可動側の摘み部22を目印とし、選択したチューナーを目視可能に表示するようにしたものである。
【０００７】
また好ましくは、少なくとも３台のチューナーを制御する為のリモコン装置１であって、上記リモコン装置の表面３には、上記３台のチューナーの内の任意の１台のチューナーを選択操作する為の選択手段20と、上記選択手段20により選択されるチューナーに対応する制御信号を生成する為の制御手段10とを備え、さらに上記リモコン装置の前面には、上記生成した制御信号を外部に向けて出力する為の発信部25とを備えるリモコン装置において、上記制御手段10により生成される制御信号は、上記選択手段20により選択される３台のチューナーに対して予め個別に備えさせるＩＤに対応する３種類の制御信号であって、選択手段の選択操作によってその内の一種の制御信号のみを上記発信部25より出力可能に構成してあり、上記制御手段10はリモコン装置の表面に配置する一方、上記選択手段20は、上記制御手段10から離れた表面の隅部に配置し、しかも、上記選択手段20の構成は、スライドスイッチで構成し、固定側の３カ所の各切換位置には対応する上記チューナーの識別子21を配し、可動側の摘み部22を目印とし、選択したチューナーを目視可能に表示するようにしたものであればよい。
【発明の効果】
【０００８】
以上のように本願発明は、操作者が、リモコン装置で３台のチューナーの内、好みのチューナーを操作する場合、リモコン装置にあっては、選択手段で選択されたチューナーに対応する制御信号が生成され、発信部から出力される。一方、各チューナーにあっては、特定の制御信号に対応するチューナーのみが作動する。
よって、操作者は１台のリモコン装置で、３台の異なるチューナーを選択的に制御できる効果がある。
【０００９】
さらに本願発明は、選択手段をスライドスイッチで構成したので、小さなスペースに配置できる。よって、テンキー（数字キーともいう）のような配置に大きなスペースを要する制御手段を、主要操作領域に配置できる。
このことは、操作者がチャンネル選択操作をする際、何れのチューナーを選択した場合でも、リモコン装置表面に備えた数字キー等を共通して用いて、チャンネル番号を直接入力して選局することができる。
よって、操作者は、チャンネルの選択操作を迅速にすることができる利便上の効果がある。
【００１０】
さらに本願発明は、制御しようとするチューナーを選択した後、選局操作等のリモコン操作中にあっては、上記選択手段は、制御手段を操作する操作者の指で隠されない。
よって、操作者は、現在選択しているチューナーがどれであるかを目視確認することができ、誤操作を防止することができる使用上の効果がある。
【発明を実施するための最良の形態】
【００１１】
以下本願発明の実施の形態を図面を用いて説明する。図１乃至図４において、１はチューナーを制御する為のリモコン装置を示す。２は上記リモコン装置１におけるケース本体を示す。上記ケース本体の内部空間には、周知のように回路基板、電池等、リモコン装置の機能に必要な部材が納められている。
【００１２】
次に、10（11、12、13、14）は上記ケース本体２の表面３に備えられる複数の制御手段を示す。上記制御手段10の配置は、リモコン装置１を片手の掌に載せて親指で操作できる範囲、即ち、表面３における主要操作領域に主たるものを配置する。
11、12、13、14は、夫々、数字ボタン、メニュー等選択ボタン、ＴＶ操作ボタン、切換ボタンを示す。これらの制御手段10は、通常知られているように、操作者が操作をし易いように配設すればよい。
さらに、上記各制御手段10は通常知られているように、各ボタンを押下げることにより対応する制御信号（例えば電源ボタンであれば、対応チューナーの電源をオンオフさせる信号）を生成するように構成されている。上記制御信号には、後述の選択手段20により選択される３台のチューナーに予め個別に備えてあるＩＤ（例えば周知のように他の機器との識別作動に用いられるパルスコード）に対応する３種類の制御信号の内、選択される一つの制御信号を夫々含むものである。
【００１３】
次に、20は上記ケース本体における表面３の隅部に配置された選択手段を示す。上記選択手段20は、通常知られているスライドスイッチで構成してある。
21（21ａ、21ｂ、21ｃ）は識別子を示し、上記選択手段20における固定側の各切換位置に配置されている。上記各識別子21は、夫々対応するチューナーを識別できるように表示してあればよい。識別子としては、例えば図示のように数字を用いてもよい。或いは、文字、記号、絵等を用いても良い。さらに、上記識別子21の表示は、任意の表示手段、例えば印刷、刻印、シールの貼付等の手段によって表示すればよい。さらに、識別子21を表示する部分に、別に設ける表示シール（例えば、機器の名前や種類等を記載したシール）を貼るスペースを設けておき、使用者が選択的に表示シールを貼って表示できるようにしてあってもよい。
22は上記選択手段20における可動側の摘み部を示す。上記摘み部22は、通常知られているように、各切換位置に段階的にスライドするようにしてある。
このことは、各切換位置において摘み部22が目印となって各識別子21を指し、操作前または操作中において、選択したチューナーがどれであるか一目で容易に判別できるように構成してあることになる。
なお、上記識別子21と目印22とを備える位置を、識別子21を固定側に、目印22を可動側に配置する例を説明した。しかし、これらは選択したチューナーを目視可能に表示するようにしてあればよく、本願発明においては相対的に備えてもよい。即ち、図４（Ａ）に表れているように識別子21を可動側に、目印22を固定側に配置するようにしてもよい。
【００１４】
次に、25は上記ケース本体２の前面４に備えられた発信部を示す。上記発信部25は、周知のように上記制御手段10で生成した３種のＩＤに係る制御信号の内、上記選択手段20の選択操作によって選択された一種の制御信号のみを外部に向けて出力する。上記制御信号としては広く知られているように、例えば赤外線信号を用いればよい。
【００１５】
次に、30（30ａ、30ｂ、30ｃ）は３台のチューナーを示す。例えば30ａ、30ｂはディジタルチューナー、30ｃはテレビ内蔵のアナログチューナーであってもよい。31（31ａ、31ｂ、31ｃ）は夫々上記各チューナー30における受信部を示す。上記各チューナー30は、広く知られているように、リモコン装置１から出力される各種の制御信号が、上記受信部31（31ａ、31ｂ、31ｃ）から入力されると、その信号に対応する動作をするように構成されている。
32（32ａ、32ｂ、32ｃ）は夫々上記各チューナー30の底面に備える切換スイッチを示す。上記各切換スイッチ32は、上記リモコン装置１における選択手段20と同様にスライドスイッチで構成されている。33、34は夫々目印、識別子を示す。上記切換スイッチ32を切換えることにより、夫々他のチューナーと識別できるＩＤを設定できるようにしてある。
なお、切換スイッチ32の配置する場所は、いずれでもよく、図示のようにチューナー30の裏面に配置してもよいが、操作者が見やすいように前面に配置してもよい。
【００１６】
次に、図３（Ａ）、（Ｂ）は使用例を示す。
35、36は夫々周知のテレビ、ビデオレコーダーを示す。30ａ、30ｂは、夫々テレビ35用のディジタルチューナー、ビデオレコーダー36用のディジタルチューナーを示す。上記テレビ35及びビデオレコーダー36は夫々、アナログチューナー30ｃ、30ｄを内蔵している。これらの機器を一つのラック37に配置してある。
次に図３（Ｂ）は住宅の平面図を示す。39は外壁、41、42は部屋、43は部屋41、42の間仕切りとしての襖を示す。45は部屋41に配置された操作者が座る操作者席を示す。上記部屋41に上記した図３（Ａ）に示されるチューナー30ａ〜30ｄ等が置かれている。上記部屋42にはディジタルチューナー30ｅを内蔵するテレビが置かれている。
【００１７】
上記構成のリモコン装置１の使用方法及び使用状態を説明する。例えば、図３に示される３台のチューナー30ａ、30ｂ、30ｃを操作する場合は次のようにする。
上記３台のチューナー30ａ、30ｂ、30ｃは、夫々切換スイッチ32ａ、32ｂ、32ｃが「１」、「２」、「３」と選択されており、夫々異なるＩＤが設定されているものとする。
まず、リモコン装置１の選択手段20で遠隔操作したいチューナを選択する。例えば、チューナー30ｂを操作したい場合は、目印22を動かして識別子21ｂの「２」の文字に合わせる。
次に、通常行われるように、リモコン装置１の発信部25を遠隔操作したいチューナー30ｂ方向に向ける。そして、電源ボタン14ａを押す。
すると、リモコン装置１内に収納された電子回路（図示省略）において特定の制御信号が生成される。詳しくは、上記選択手段20における切換位置１〜３の内、選択されている「２」に対応するパルスコードの制御信号が生成される。
続いて、リモコン装置１の発信部25から制御信号16が出力される。
上記出力される制御信号16は、図３に示されるようにチューナー30ｂ、さらに他のチューナー30ａ、30ｃにも発射される。
一方チューナー30ａ〜30ｃ側にあっては、各受信部31（31ａ、31ｂ、31ｃ）の所定の受光角度（例えば60°）内に入ってくる制御信号が入力される。
しかしながら、前述のようにリモコン装置から発射される制御信号は、リモコン装置側の「２」に対応するパルスコードの制御信号である。
従って、上記チューナー30ｂは、上記リモコン装置１に選定された「２」のパルスコードの制御信号に対応するＩＤを受け入れるように設定されているから電源が入り、他のチューナー30ａ、30ｃは、制御信号のパルスコードが対応しない為、ＩＤ不一致となって動作しない。
さらに引続いて、チューナー30ｂのチャンネルを選局したい場合、例えばＢＳディジタル放送のＮＨＫハイビジョンを選択したい場合は、通常行われるように、数字キー11を順に「１」「０」「３」と操作する。
すると、上記と同様にチューナー30ｂのみが動作し、ＮＨＫハイビジョンが選局される。
【００１８】
次に、チューナー30ａを操作したい場合は、リモコン装置の選択手段20を切換えて、「１」を選択する。
通常行われるように、リモコン装置１の発信部25をチューナー30ａ方向に向ける。そして、電源ボタン14ａを押す。すると、リモコン装置１側の「１」のパルスコードの制御信号に対応する「１」にＩＤ設定されているチューナー30ａが動作し、電源が入る。
チューナー30ａのチャンネルを選局したい場合は、上記チューナー30ｂの操作の場合と同様に数字キー11を操作して希望のチャンネルを選局すればよい。
【００１９】
以上のように、操作者がチャンネル選択操作をする際、チューナー30ａ〜30ｃの内、何れのチューナーを選択した場合でも、リモコン装置の表面に備えた数字キー等を共通して用いて、チャンネル番号を直接入力して選局することができる。
よって、操作者は、チャンネルの選択操作を迅速にすることができる利便性がある。
さらに、図３（Ａ）に示されるように、上記選択手段20は、リモコン装置表面における主要操作領域から離れた上部に配置してある隅部に配置されている。
よって、操作者は、チューナー30ｂ、チューナー30ｃと次々に異なるチューナーを選択した後、選局操作等のリモコン操作中であっても、制御手段10を操作する操作者の指で隠されない。
従って、操作者は、現在選択しているチューナーがどれであるかを、上部に配置してある選択手段20によって目視確認することができる。操作者が、制御対象のチューナーを誤って操作してしまうこと防止することができる。
【００２０】
次に、図１〜図３の切換手段とは切換数の点において異なる例を示す図４（Ｂ）について説明する。図１における切換手段20は、３台のチューナーを対象として制御するものを示した。しかしチューナーの台数が４台以上に増加する場合には、リモコン装置１の切換手段の切換数を増加すれば対応できる例を示すものである。
次に構成について説明する。選択手段20ｋは、通常知られているスライドスイッチで構成してある。21ｋ（21ak、21bk、21ck、21dk、21ek）は識別子を示し、上記選択手段20ｋにおける固定側の各切換位置に配置されている。22ｋは上記選択手段20ｋにおける可動側の摘み部を示す。上記摘み部22ｋは、通常知られているように、各切換位置に段階的（５段階）にスライドするようにしてある。
なお、図４（Ｂ）において前述の図１〜図３のものと機能、性質又は特徴等が同一又は均等構成と考えられる部分には、前述の図１〜図３と同一の符号にアルファベットのｋを付して重複する説明を省略する。（また次図以降のものにおいても順次同様の考えで、前述の図１〜図３と同一の符号にアルファベットのｍ、ｎを順に付して重複する説明を省略する。）
また、使用方法については、前述した説明と同様の考え方で使用できるので重複する説明を省略する。
【００２１】
次に、図１〜図３の制御手段とは操作ボタンの配置の点において異なる例を示す図４（Ｃ）について説明する。
17は制御手段10ｍにおけるカラーボタンを示す。次に、20ｍは上記ケース本体における表面３ｍの隅部に配置された選択手段を示し、上記制御手段10ｍから離れた位置に配置されている。
このことは、各切換位置において摘み部22ｍが目印となって各識別子21ｍを指し、操作前または操作中において、選択したチューナーがどれであるか一目で容易に判別できるように構成してあることになる。
なお、使用方法については、前述した説明と同様の考え方で使用できるので重複する説明を省略する。
【００２２】
次に、図１〜図３とは制御手段の操作ボタン及び選択手段の配置の点において異なる例を示す図４（Ｄ）について説明する。
17、18は夫々、制御手段10ｎにおけるカラーボタン、その他の機能のためのボタンを示す。次に、20ｎは上記ケース本体における表面３の隅部に配置された選択手段を示し、上記制御手段10ｎから離れた位置に配置されている。
このことは、各切換位置において摘み部22ｍが目印となって各識別子21ｍを指し、操作前または操作中において、選択したチューナーがどれであるか一目で容易に判別できるように構成してあることになる。
なお、使用方法については、前述した説明と同様の考え方で使用できるので重複する説明を省略する。
【図面の簡単な説明】
【００２３】
【図１】リモコン装置における本体表面と選択手段と制御手段の関係を説明する為の図で、リモコン装置の表面図。
【図２】（Ａ）は３台のチューナーを説明する為の概略図、（Ｂ）は（Ａ）に示される各チューナーにおける切換スイッチを説明する為の部分拡大図。
【図３】（Ａ）はリモコン装置を使用例を示す概略図、（Ｂ）はリモコン装置を使用例を示す概略図で、部屋の平面図。
【図４】（Ａ）、（Ｂ）は夫々図１のものとは異なる選択手段の例を示す概略図、（Ｃ）は図１の制御手段とは異なる配置の例を示す概略図、（Ｄ）は図１の制御手段及び選択手段とは異なる配置の例を示す概略図。
【符号の説明】
【００２４】
１・・・リモコン、２・・・本体、３・・・表面、４・・・前面、１０・・・制御手段、１１・・・数字ボタン、１２・・・メニュー等選択ボタン、１３・・・ＴＶ操作ボタン、１４・・・切換ボタン、２０・・・選択手段、２１・・・識別子、２２・・・目印、２５・・・発信部、３０・・・チューナー、３１・・・受信部、３２・・・切換スイッチ、３５・・・ＴＶ、３６・・・ビデオレコーダー、３７・・・ラック、３９・・・外壁、４３・・・間仕切り（襖）
【図１】
2007135111.tif 000003
【図２】
2007135111.tif 000004
【図３】
2007135111.tif 000005
【図４】
2007135111.tif 000006